(57)【要約】【課題】  植物の生育特性を最大限に引き出すことができ、低コストかつ容易に施工することができる屋上等の緑化構造等を提供すること。【解決手段】  建築物の屋上等の面上において、複数の発泡樹脂製の略方形のユニットプランター１・１…が載置されて構成される緑化構造であって、これらのユニットプランター１を、匍匐植物Ｐが植栽された植栽プランター１Ａと、土壌Ｄのみが収容された土壌プランター１Ｂとから構成して、この面上において、これらの植栽プランター１Ａおよび土壌プランター１Ｂを交互に隣接して載置する一方、当該植栽プランター１Ａにおいて生育した前記匍匐植物Ｐの匍匐茎ｓが、隣接する土壌プランター１Ｂに向かって延伸して乗り越え、この匍匐茎ｓの節ｊから発根した根ｒが、前記土壌プランター１Ｂ内の土壌Ｄに根付いた状態で保持することによって、当該匍匐植物Ｐをユニットプランター１・１…の上面全体に被覆繁茂させる。【選択図】  図９
2011072194.tif 000002
【特許請求の範囲】
【請求項１】
建築物の屋上等の面上において、複数の発泡樹脂製の略方形のユニットプランター１・１…が載置されて構成される緑化構造であって、
これらのユニットプランター１は、匍匐植物Ｐが植栽された植栽プランター１Ａと、土壌Ｄのみが収容された土壌プランター１Ｂとから構成されており、
この面上において、これらの植栽プランター１Ａおよび土壌プランター１Ｂが交互に隣接して載置されている一方、当該植栽プランター１Ａにおいて生育した前記匍匐植物Ｐの匍匐茎ｓが、隣接する土壌プランター１Ｂに向かって延伸して乗り越え、この匍匐茎ｓの節ｊから発根した根ｒが、前記土壌プランター１Ｂ内の土壌Ｄに根付いた状態で保持されることによって、当該匍匐植物Ｐがユニットプランター１・１…の上面全体に被覆繁茂していることを特徴とする屋上等の緑化構造。
【請求項２】
植栽プランター１に植栽される匍匐植物Ｐがヒメイワダレソウであることを特徴とする請求項１記載の屋上等の緑化構造。
【請求項３】
ユニットプランター１の樹脂材料が、ポリスチレンであることを特徴とする請求項１または２記載の屋上等の緑化構造。
【請求項４】
土壌プランター１Ｂに収容される土壌Ｄに、少なくとも培養土および軽量土が含まれていることを特徴とする請求項１〜３の何れか一つに記載の屋上等の緑化構造。
【請求項５】
ユニットプランター１の容器部11における底板12に排水孔12ａが貫設されている一方、上面には貯水凹部12ｂが形成されていることを特徴とする請求項１〜４の何れか一つに記載の屋上等の緑化構造。
【請求項６】
ユニットプランター１の容器部11における底板12の下方に、保水受皿13を装着可能であることを特徴とする請求項１〜５の何れか一つに記載の屋上等の緑化構造。
【請求項７】
建築物の屋上等の面上を緑化する方法であって、複数の発泡樹脂製の略方形のユニットプランター１・１…を載置するにあたり、
これらのユニットプランター１のうち、植栽プランター１Ａ内に匍匐植物Ｐを植栽せしめて、かつ、土壌プランター１Ｂには、少なくとも培養土と軽量土とを含む土壌Ｄを収容して、
この面上において、これらの植栽プランター１Ａおよび土壌プランター１Ｂを交互に隣接させて載置していく一方、
当該植栽プランター１Ａにおいて生育せしめた前記匍匐植物Ｐの匍匐茎ｓを、隣接する土壌プランター１Ｂに向かって延伸せしめて乗り越えさせて、この匍匐茎ｓの節ｊから発根した根ｒを、前記土壌プランター１Ｂ内の土壌Ｄに根付かせることによって、当該匍匐植物Ｐをユニットプランター１・１…の上面全体に被覆繁茂せしめることを特徴とする屋上等の緑化方法。
【請求項８】
建築物の屋上等における緑化構造に用いるユニットプランター１であって、このユニットプランター１の容器部11における底板12に排水孔12ａが貫設されている一方、上面には貯水凹部12ｂが形成されており、かつ、容器部11における底板12の下方に、保水受皿13を装着可能であることを特徴とする屋上等の緑化構造に用いるユニットプランター。
【発明の詳細な説明】
【技術分野】
【０００１】
本発明は、屋上等の緑化技術の改良、更に詳しくは、植物の生育特性を最大限に引き出すことができ、低コストかつ容易に施工することができる屋上等の緑化構造および緑化方法、およびこれらに用いるユニットプランターに関するものである。
【背景技術】
【０００２】
周知のとおり、近年では、「ヒートアイランド現象（人工排熱の増加、人工被覆の増加および自然空間の喪失という都市における人工化の過剰な進展から生ずる、熱大気汚染をいう。）」が環境問題となっており、熱中症などの健康影響や二酸化炭素排出量の増加などの影響をもたらすおそれがあるため、その対策として、建築物の屋上等に花壇などを設置する緑化運動が盛んに行われている。
【０００３】
従来、かかる屋上等の緑化によく用いられる植物として「ツルマンネングサ」が知られており、この植物は、水なしでも３〜４か月生存することができるが、それでもなお、雨量の多い梅雨の時期や、冬場の寒冷期には枯死するおそれがある。
【０００４】
また、屋上等の緑化においては、プラスチック材料の無垢材からなるプランターやトレイが使用されている場合も多いが（例えば、特許文献１参照）、このような容器は、夏場は熱を吸収して植物が日焼けし易く、また、冬場は土壌の熱を放出するために、土中に含まれる水分が凍結し、植物の生育の悪化を生じるという問題がある。
【０００５】
さらに、緑化構造を施工するにあたっても、大掛かりな設備や専門性が必要なために、業者に依頼せざるを得ない点で、コストがかかり過ぎるという問題がある。
【先行技術文献】
【特許文献】
【０００６】
【特許文献１】登録実用新案第３１４７１３４号公報（第４−７頁、図１−３）
【発明の概要】
【発明が解決しようとする課題】
【０００７】
本発明者は、従来の建築物の屋上等における緑化構造の改良について研究していたところ、植物の繁茂力を最大限に引き出すとともに、その植物の生育に適した環境を構築することができれば、屋上のような過酷な環境であっても、短期間で表面を被覆することができ、しかも、維持やメンテナンスも容易であろうとの着想を得た。そして、全く新しい緑化構造によって同作用を得られないかと思案した結果、繁茂力が強い植物を採用して、かつ、保温効果の高いプランターを採用するという解決策を思い付いた。
【０００８】
そこで、本発明者は、クマツヅラ科イワダレソウ属の匍匐植物（例えば、イワダレソウ（Phyla-nodiflora）やヒメイワダレソウ（Phyla-canescens、Lippia-canescens）など）が繁茂力に優れており、しかも、茎部の節々から根を下ろす特性を備えている点に着目するとともに、発泡樹脂製の容器が断熱効果および保温効果に優れていることから、これらを組み合わせて採用してみたところ、本発明を完成するに至った。
【課題を解決するための手段】
【０００９】
本発明者が上記技術的課題を解決するために採用した手段を、添付図面を参照して説明すれば、次のとおりである。
【００１０】
即ち、本発明は、建築物の屋上等の面上において、複数の発泡樹脂製の略方形のユニットプランター１・１…が載置されて構成される緑化構造であって、
これらのユニットプランター１を、匍匐植物Ｐが植栽された植栽プランター１Ａと、土壌Ｄのみが収容された土壌プランター１Ｂとから構成して、
この面上において、これらの植栽プランター１Ａおよび土壌プランター１Ｂを交互に隣接して載置する一方、当該植栽プランター１Ａにおいて生育した前記匍匐植物Ｐの匍匐茎ｓが、隣接する土壌プランター１Ｂに向かって延伸して乗り越え、この匍匐茎ｓの節ｊから発根した根ｒが、前記土壌プランター１Ｂ内の土壌Ｄに根付いた状態で保持することによって、当該匍匐植物Ｐをユニットプランター１・１…の上面全体に被覆繁茂させるという技術的手段を採用したことによって、屋上等の緑化構造を完成させた。
【００１１】
また、本発明は、上記課題を解決するために、必要に応じて上記手段に加え、植栽プランター１に植栽される匍匐植物Ｐをヒメイワダレソウにするという技術的手段を採用することができる。
【００１２】
更にまた、本発明は、上記課題を解決するために、必要に応じて上記手段に加え、ユニットプランター１の樹脂材料を、ポリスチレンにするという技術的手段を採用することができる。
【００１３】
更にまた、本発明は、上記課題を解決するために、必要に応じて上記手段に加え、土壌プランター１Ｂに収容される土壌Ｄに、少なくとも培養土および軽量土を含ませるという技術的手段を採用することができる。
【００１４】
更にまた、本発明は、上記課題を解決するために、必要に応じて上記手段に加え、ユニットプランター１の容器部11における底板12に排水孔12ａを貫設する一方、上面には貯水凹部12ｂを形成するという技術的手段を採用することができる。
【００１５】
更にまた、本発明は、上記課題を解決するために、必要に応じて上記手段に加え、ユニットプランター１の容器部11における底板12の下方に、保水受皿13を装着可能にするという技術的手段を採用することができる。
【００１６】
また、本発明は、建築物の屋上等の面上を緑化する方法であって、複数の発泡樹脂製の略方形のユニットプランター１・１…を載置するにあたり、
これらのユニットプランター１のうち、植栽プランター１Ａ内に匍匐植物Ｐを植栽せしめて、かつ、土壌プランター１Ｂには、少なくとも培養土と軽量土とを含む土壌Ｄを収容して、
この面上において、これらの植栽プランター１Ａおよび土壌プランター１Ｂを交互に隣接させて載置していく一方、
当該植栽プランター１Ａにおいて生育せしめた前記匍匐植物Ｐの匍匐茎ｓを、隣接する土壌プランター１Ｂに向かって延伸せしめて乗り越えさせて、この匍匐茎ｓの節ｊから発根した根ｒを、前記土壌プランター１Ｂ内の土壌Ｄに根付かせることによって、当該匍匐植物Ｐをユニットプランター１・１…の上面全体に被覆繁茂せしめるという技術的手段を採用することによって、屋上等の緑化方法を完成させた。
【００１７】
更にまた、本発明は、建築物の屋上等における緑化構造に用いるユニットプランター１であって、このユニットプランター１の容器部11における底板12に排水孔12ａを貫設する一方、上面には貯水凹部12ｂを形成して、かつ、容器部11における底板12の下方に、保水受皿13を装着可能にするという技術的手段を採用することによって、屋上等の緑化構造に用いるユニットプランターを完成させた。
【発明の効果】
【００１８】
本発明にあっては、建築物の屋上等の面上において、複数の発泡樹脂製の略方形のユニットプランターが載置されて構成される緑化構造であって、これらのユニットプランターを、匍匐植物を植栽した植栽プランターと、土壌のみが収容された土壌プランターとから構成し、この面上において、これらの植栽プランターおよび土壌プランターを交互に隣接させて載置する一方、当該植栽プランターにおいて生育した前記匍匐植物の匍匐茎が、隣接する土壌プランターに向かって延伸して乗り越え、この匍匐茎の節から発根した根を、前記土壌プランター内の土壌に根付いた状態に保持することによって、当該匍匐植物をユニットプランターの上面全体に被覆繁茂することができる。
【００１９】
したがって、本発明の緑化構造、緑化方法を使用することにより、植物の生育特性である強い繁茂力を利用し、かつ、最大限に引き出すことができるので、全体に予め植栽しておく必要がない。
【００２０】
しかも、施工が容易であって、メンテナンスの必要もないので、施工コストやランニングコストを大幅に縮小することもできる。また、ユニットプランターおよび土壌を含めても軽量であるため、建造物への負担も少ないことから、産業上の利用価値は頗る大きいと云える。
【図面の簡単な説明】
【００２１】
【図１】本発明の実施形態のユニットプランターを表わす分解斜視図である。
【図２】本発明の実施形態のユニットプランターを表わす全体上面図である。
【図３】本発明の実施形態のユニットプランターの保水受皿を表わす全体上面図である。
【図４】本発明の実施形態のユニットプランターの保水受皿の表面を表わす全体斜視図である。
【図５】本発明の実施形態のユニットプランターの保水受皿の裏面を表わす全体斜視図である。
【図６】本発明の実施形態のユニットプランターの組立構造を表わす説明断面図である。
【図７】本発明の実施形態の植栽プランターを表わす全体斜視図である。
【図８】本発明の実施形態の土壌プランターを表わす全体斜視図である。
【図９】本発明の実施形態の緑化構造を表わす説明上面図である。
【図１０】本発明の実施形態の緑化構造を表わす部分拡大上面図である。
【図１１】本発明の実施形態の緑化方法の工程を表わす説明側面図である。
【図１２】本発明の実施形態の緑化構造を表わす説明上面図である。
【発明を実施するための形態】
【００２２】
本発明を実施するための形態を具体的に図示した図面に基づいて更に詳細に説明すると次のとおりである。
【００２３】
本発明の実施形態を図１から図１２に基づいて説明する。図中、符号１で指示するものはユニットプランターである。
【００２４】
しかして、本発明は、建築物の屋上等の面上において、複数の前記ユニットプランター１・１…を載置して構成される緑化構造であって、まず、この構造に用いるユニットプランターについて説明する。
【００２５】
このユニットプランター１は、発泡樹脂製の容器部材である。本実施形態では、樹脂材料をポリスチレンにすることができ（所謂「発泡スチロール」）、ブタン・ペンタンなどの炭酸水素ガスにより発泡せしめるビーズ法や射出成形法によって、底板12の断面形状が略方形である容器状に作製する。なお、サイズは、縦３００×横３００×高さ１００、または縦４５０×横４５０×高さ１００（ｍｍ）が好適であり、容器部11内部の底板隅角部は必要に応じて面取りして滑らかにすることができる。
【００２６】
また、このユニットプランター１の容器部11における底板12に、水抜きのための排水孔12ａを貫設する一方、上面には貯水凹部12ｂを形成することができる（図１および図２参照）。
【００２７】
この貯水凹部12ｂを形成したことにより、土壌Ｄが乾燥した場合に、この貯水凹部12ｂの水分が毛細管現象により上部へ吸い上がるようにしたものであり、この部分には、適宜粒状綿を敷設することができる。
【００２８】
また、本実施形態では、図３から図５に示すように保水受皿13を成形し、図６に示すように、ユニットプランター１の容器部11における底板12の下方に装着可能にすることができる。
【００２９】
なお、生育にしたがって根量が多くなると、この根が前記排水孔12ａから下方へ延伸することもあるため、前記保水受皿13を配設することにより、水分補給および根を受け止めることができる。
【００３０】
また、前記保水受皿13の裏面に水通り用の溝部を設け（図５参照）、雨の日は水抜き穴から抜けた余分な水分を外壁外へスムーズに排出して、水の腐敗による悪臭の発生を防止することができる。
【００３１】
また、耐踏圧に対しては、容器部11の底板裏面にリブ状の突起を形成することにより、剛性を向上させて踏圧にも耐えられるようにする。このリブ状の突起は、前記保水受皿13の外周縁部に嵌合させることができる（図６参照）。
【００３２】
次に、本発明の緑化構造を施工する方法を以下に説明する。まず、前記複数のユニットプランター１のうち、植栽プランター１Ａ内に匍匐植物Ｐを植栽せしめる（図７参照）。本実施形態では、この植栽プランター１に植栽する匍匐植物Ｐをヒメイワダレソウにすることができる。
【００３３】
本実施形態においてヒメイワダレソウを採用する主な理由を以下に列記する。
（イ）他の植物よりも被覆密度が高く、密集して全面を覆う。
（ロ）約４か月に亘り、白い小花が無数に咲くことから、景観が良い。
（ハ）草丈が低く５〜７cmで耐踏圧性に強い。
（ニ）芝のように刈り込む必要がなく、手入れが簡単である。
（ホ）多年草で冬は枯死したようになるが、春の気温上昇と共に新葉が芽をふく。
（ヘ）外来種であるが既存の生態系を変えない。
（ト）根量が多く、土をしっかり抱え込む。
（チ）カメムシが寄生しない。
【００３４】
一方、土壌プランター１Ｂには土壌Ｄのみを収容する（図８参照）。この土壌Ｄには、少なくとも培養土と軽量土とを含んでいる。本実施形態における培養土としては、植物の栽培に通常使用されている基本用土（赤玉土、黒土、川砂など）、改良用土（腐葉土、ピートモスなど）、調整用土（バーミキュライト、パーライト、チャフコン、ゼオライト、珪酸白土、石灰、草木灰など）を採用することができ、天然土壌や人工土壌を単独または混合して用いることができる。また、軽量土としては、真珠岩系パーライト等の岩石の焼成物やリサイクルセラミック、火山砂利等から得られる無機質系人工土壌、分解の遅い針葉樹（スギ、ヒノキ）の樹皮やココピート（登録商標）、ピートモス、草炭等を加工して得られる有機質系人工土壌、あるいは軽量無機質骨材に有機質資材を混合加工した有機無機混合型人工土壌などを用いることができる。軽量土を用いるため、重量の面でも建物に負担が少なく、保水性・通水性にも優れている。
【００３５】
次いで、対象とする建築物の屋上等の面上に、これらの植栽プランター１Ａおよび土壌プランター１Ｂを交互に隣接させて載置していく（図９参照）。なお、建物の屋上などの外壁に沿う周縁部には、土壌プランター１Ｂのみを載置して、適宜、緩衝部とすることができる。
【００３６】
そして、植栽プランター１Ａにおいて生育せしめた前記匍匐植物Ｐの匍匐茎ｓを、隣接する土壌プランター１Ｂに向かって延伸せしめて乗り越えさせ（図１０参照）、この匍匐茎ｓの節ｊから発根した根ｒを、前記土壌プランター１Ｂ内の土壌Ｄに根付かせる（図１１参照）。
【００３７】
このようにして、当該匍匐植物Ｐをユニットプランター１・１…の上面全体に被覆繁茂せしめることができ、本発明の緑化構造を完成させることができる（図１２参照）。本発明の緑化構造は、設置から約１か月程度で全面に匍匐植物Ｐを被覆繁茂させることができる。なお、完成した緑化構造の一部を刳り抜いて、季節の鉢植えを植え込むことも可能である。このヒメイワダレソウは、丈が低いため他の鉢植えの苗を阻害することなく共存が可能である。
【００３８】
また、本発明の緑化構造は、施工後に繁茂した匍匐植物Ｐの上に自由に乗ることができて、歩いたり寝そべったりすることができるので、ビルの屋上などの休憩スペースとしても非常に適している。
【００３９】
本発明は、概ね上記のように構成されるが、図示の実施形態に限定されるものでは決してなく、「特許請求の範囲」の記載内において種々の変更が可能であって、例えば、ユニットプランター１の使用材料は、断熱性に優れた発泡成形できるものであれば、ポリプロピレンやポリエチレンなどのポリオレフィン系の樹脂材料や、ポリウレタン（硬質）、塩化ビニル（ＰＶＣ）、フェノール樹脂、ポリ乳酸（ＰＬＡ）、スポンジゴムなどを採用することができる。
【００４０】
また、ユニットプランター１同士を連結するためのジョイント部材を適宜使用することもでき、これら何れのものも本発明の技術的範囲に属する。
【産業上の利用可能性】
【００４１】
大都市のヒートアイランド現象を防ぐためには、緑化を推進することが不可欠だが、地価が高く、活用できる土地はあまりない。そこで注目されたのが屋上であり、本発明によれば、匍匐植物の蒸散作用などによって、周囲の気温を下げるほか、断熱効果も高く省エネにつながり、騒音が低減され、建物の膨張・収縮による劣化を防ぎ、そしてビルに潤いを与え、訪れる人の憩いのスペースとしても活用できることから、屋上緑化においていろいろなメリットがある。
【符号の説明】
【００４２】
１    ユニットプランター
１Ａ  植栽プランター
１Ｂ  土壌プランター
11    容器部
12    底板
12ａ  排水孔
12ｂ  貯水凹部
13    保水受皿
Ｐ    匍匐植物
ｓ    匍匐茎
ｊ    節
ｒ    根
Ｄ    土壌
【図１】
2011072194.tif 000003
【図２】
2011072194.tif 000004
【図３】
2011072194.tif 000005
【図４】
2011072194.tif 000006
【図５】
2011072194.tif 000007
【図６】
2011072194.tif 000008
【図７】
2011072194.tif 000009
【図８】
2011072194.tif 000010
【図９】
2011072194.tif 000011
【図１０】
2011072194.tif 000012
【図１１】
2011072194.tif 000013
【図１２】
2011072194.tif 000014